(57)【要約】      （修正有）【課題】１６２５ｎｍまでの通信光を透過させ、かつＵバンドの試験光を遮断することができる波長選択光フィルタを備える光ジャンパユニットを提供する。【解決手段】光ジャンパユニットは、Ｎ−ＳＬＴから出力されるＳバンドの通信光と、Ｖ−ＳＬＴから出力されるＣバンドの通信光と、を合分波させる光合分波器のＮ−ＳＬＴ向けポート側に備える波長選択光フィルタ２１３２を備え、そのフィルタ設置角度度αが、対象光ファイバ２１３１の垂直断面に対し５．５°以上かつ６．０°以下である。【選択図】図５
2016206210.tif 000002
【特許請求の範囲】
【請求項１】
複数の入力ポートを有し、少なくとも１つの伝送装置からの通信光が前記入力ポートのいずれかに入力される入力系統と、
複数の出力ポートを有し、前記入力ポートに入力された前記通信光を、前記出力ポートのいずれかに出力する出力系統と、
前記入力系統と前記出力系統において互いに対応するポート間に配置された波長選択光フィルタと、
を備え、
前記通信光は、Ｌバンドの波長の光を含み、
前記試験光は、Ｕバンドの波長の光を含み、
前記波長選択光フィルタは、
Ｌバンドの波長の光を透過させ、かつＵバンドの波長の光を遮断し、かつＵバンドの波長の光を３０ｄＢ以上の反射減衰量で反射する誘電体多層膜を備え、
ポート間を伝搬する光の光路に対する前記誘電体多層膜の透過面の設置角度が５．５°以上かつ６．０°以下である、
ことを特徴とする光ジャンパユニット。
【請求項２】
少なくとも１つの前記入力ポートから入力された通信光を分岐し、２以上の前記出力ポートにする光分岐部をさらに備え、
前記波長選択光フィルタは、前記入力ポートと前記光分岐部の間に配置されることを特徴とする請求項１に記載の光ジャンパユニット。
【請求項３】
２以上の前記入力系統と、
前記入力系統の異なる２以上の前記入力ポートから入力された通信光を合波し、少なくとも１つの前記出力ポートに出力する光合波部をさらに備え、
前記波長選択光フィルタは、前記２以上の入力ポートの少なくともいずれかと前記光合波部との間に配置されることを特徴とする請求項１に記載の光ジャンパユニット。
【発明の詳細な説明】
【技術分野】
【０００１】
本発明は、交換所外の光ファイバと交換所内の伝送装置との間を結ぶための光配線を、効率的に運用するための光ジャンパユニットに関するものである。
【背景技術】
【０００２】
加入者光ファイバケーブルである所外成端ケーブル４２と交換所内の伝送装置３１との接続箇所に、光ジャンパユニット９０が設置されている。
【０００３】
図１に、光ジャンパユニットの設置例を示す。光ジャンパユニット９０は、成端架２０に設置される。局内の伝送装置３１は局内ケーブル４１を介して光ジャンパユニット９０の入力ポート２１１及び２２１へ接続される。
【０００４】
伝送装置３１は、任意の波長の通信光を伝送する。例えば、伝送装置３１−１は、ＯＬＴ（Ｏｐｔｉｃａｌ  Ｌｉｎｅ  Ｔｅｒｍｉｎａｌ）として機能する通信系光加入者線端局装置（Ｎ−ＳＬＴ：Ｎ−ｓｙｓｔｅｍ  Ｓｕｂｓｃｒｉｂｅｒ  Ｌｉｎｅ  Ｔｅｒｍｉｎａｌ）である。伝送装置３１−２は、Ｖ−ＯＬＴとして機能する映像系光加入者線端局装置（Ｖ−ＳＬＴ：Ｖ−ｓｙｓｔｅｍ  Ｓｕｂｓｃｒｉｂｅｒ  Ｌｉｎｅ  Ｔｅｒｍｉｎａｌ）である。
【０００５】
Ｎ−ＳＬＴである伝送装置３１−１から出力される通信光ＳＣは、Ｖ−ＳＬＴである伝送装置３１−２から出力される映像波長帯である通信光ＳＰと光ジャンパユニット９０内の分岐型光合分波器２１で波長多重され、加入者系光ファイバケーブルである所外成端ケーブル４２を介して加入者宅へ送信される。ここでＮ−ＳＬＴである伝送装置３１−１にケーブル保守用に使用される１６４５〜１６５５ｎｍの試験光ＳＴを入射させない対策として、光合分波器２１のＮ−ＳＬＴである伝送装置３１−１向けの入力ポート２１１付近に、Ｕバンドの試験光ＳＴを遮断し、かつ通信光ＳＣを透過させる波長選択光フィルタ２１３が設置されている（特許文献１参照）。
【０００６】
波長選択光フィルタ２１３には、試験光ＳＴの遮断機能に加え、ケーブル保守用の試験光ＳＴの反射光が影響してしまうため十分な反射減衰量が具備されている。波長選択光フィルタ２１３は、多心の光ファイバテープに対して一括で挿入できるため、複数の入力ポート２１１および複数の出力ポート２１２を具備する光ジャンパユニットの組立容易性に優れ、高密度で経済的な光ジャンパユニットを提供することができる。
【０００７】
しかしながら、将来、通信光ＳＣで使用される波長は、１６２５ｎｍまで拡大されることが見込まれており、波長選択光フィルタ２１３に要求される透過波長帯と遮断波長帯の間隔が狭く、試験光ＳＴに対する十分な遮断量と十分な反射減衰量を両立できず、従来の波長選択光フィルタ２１３が適用できないという問題があった。
【先行技術文献】
【特許文献】
【０００８】
【特許文献１】特開２００３−２４１０４４号公報
【発明の概要】
【発明が解決しようとする課題】
【０００９】
そこで本発明は、Ｌバンドまでの通信光ＳＣを透過させ、かつＵバンドの試験光ＳＴを遮断することができ、かつＵバンドの試験光ＳＴに対して十分な反射減衰量を有する波長選択光フィルタを備える光ジャンパユニットを提供することを目的とする。
【課題を解決するための手段】
【００１０】
本発明に係る光ジャンパユニットは、波長選択光フィルタ２１３のフィルタ設置角度が、対象光ファイバテープ２１３１の垂直断面に対し５．５°以上かつ６．０°以下であることを特徴とする光ジャンパユニットである。
【００１１】
具体的には、本発明に係る光ジャンパユニットは、
複数の入力ポートを有し、少なくとも１つの伝送装置からの通信光が前記入力ポートのいずれかに入力される入力系統と、
複数の出力ポートを有し、前記入力ポートに入力された前記通信光を、前記出力ポートのいずれかに出力する出力系統と、
前記入力系統と前記出力系統において互いに対応するポート間に配置された波長選択光フィルタと、
を備え、
前記通信光は、Ｌバンドの波長の光を含み、
前記試験光は、Ｕバンドの波長の光を含み、
前記波長選択光フィルタは、
Ｌバンドの波長の光を透過させ、かつＵバンドの波長の光を遮断し、かつＵバンドの波長の光を３０ｄＢ以上の反射減衰量で反射する誘電体多層膜を備え、
ポート間を伝搬する光の光路に対する前記誘電体多層膜の透過面の設置角が５．５°以上かつ６．０°以下であることを特徴とする。
【００１２】
本発明に係る光ジャンパユニットでは、少なくとも１つの前記入力ポートから入力された通信光を分岐し、２以上の前記出力ポートに出力する光分岐部をさらに備え、前記波長選択光フィルタは、前記入力ポートと前記光分岐部の間に配置されていてもよい。
【００１３】
本発明に係る光ジャンパユニットでは、２以上の前記入力系統と、前記入力系統の異なる２以上の前記入力ポートから入力された通信光を合波し、少なくとも１つの前記出力ポートに出力する光合波部をさらに備え、前記波長選択光フィルタは、前記２以上の入力ポートの少なくともいずれかと前記光合波部との間に配置されていてもよい。
【発明の効果】
【００１４】
本発明により、Ｌバンドの通信光ＳＣを透過させ、かつＵバンドの試験光ＳＴを遮断し、かつＵバンドの試験光ＳＴに対して十分な反射減衰量を有する波長選択光フィルタ２１３を備える光ジャンパユニットを提供することができる。
【図面の簡単な説明】
【００１５】
【図１】光ジャンパユニットの設置例を示す。
【図２】通信波長の配列を示す。
【図３】光ジャンパユニットの透過損失における設置角度依存性の一例を示す。
【図４】光ジャンパユニットの反射減衰量における設置角度依存性の一例を示す。
【図５】波長選択光フィルタの設置角度αの説明図を示す。
【図６】複数の入力系統及び光合波部を備える分岐型光合分波器の一例を示す。
【図７】本実施形態に係る光ジャンパユニットの具体的構造の一例を示す。
【発明を実施するための形態】
【００１６】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１７】
図１に、本実施形態に係る光ジャンパユニットの設置例を示す。本実施形態に係る光ジャンパユニット９０は、成端架２０に設置される。局内の伝送装置３１は局内ケーブル４１を介して光ジャンパユニット９０の入力ポート２１１及び２２１へ接続される。これにより、１６２５ｎｍの通信光ＳＣを伝送する伝送装置３１−１は、所外成端ケーブル４２に接続されたユーザ宅端末装置（不図示）と接続されうる。
【００１８】
分岐型光合分波器２１は、複数の入力ポート２１１を備える入力系統と、複数の出力ポート２１２を有する出力系統と、を備える。少なくとも１つの伝送装置３１からの通信光が入力ポート２１１のいずれかに入力される。入力ポート２１１に入力された通信光は、光カプラユニット２４に向けて出力ポート２１２のいずれかに出力される。
【００１９】
単心型光合分波器２２は、複数の入力ポート２２１を備える入力系統と、複数の出力ポート２２２を有する出力系統と、を備える。少なくとも１つの伝送装置３１からの通信光が入力ポート２２１のいずれかに入力される。入力ポート２２１に入力された通信光は、光カプラユニット２４に向けて出力ポート２２２のいずれかに出力される。
【００２０】
分岐型光合分波器２１は、光分岐部２１４を備える。光分岐部２１４は、少なくとも１つの入力ポート２１１から入力された通信光を分岐し、２以上の出力ポートに出力する。例えば、分岐型光合分波器２１は、Ｃバンドの一部である１５５０〜１５６０ｎｍ、及びＬバンドの最も長波長に位置する１６２５ｎｍの通信光を合分波する光合分波器として機能する。入力ポート２１１は、１５５０〜１５６０ｎｍ、及び１６２５ｎｍの通信光をそれぞれ個別に入力する入力ポートとして機能する。出力ポート２１２は、１５５０〜１５６０ｎｍ、及び１６２５ｎｍの通信光を合波した合波光を光分岐し、出力する出力ポートとして機能する。
【００２１】
ユーザが開通する度に、光ジャンパユニット９０の出力ポート２１２及び２２２からの光コードを光カプラユニット２４の入力部２４１へ接続する。最終的に光カプラユニット２４の出力ポート２４２から、所外成端ケーブル４２へ接続される。これにより、局内の伝送装置３１と所外成端ケーブル４２に接続されたユーザ宅端末装置（不図示）とが接続される。
【００２２】
光ジャンパユニット９０は、通信光ＳＣを透過し、試験光ＳＴを遮断する波長選択光フィルタ２１３を有している。成端架２０内には試験装置２５が配置される。試験装置２５は、所外成端ケーブル４２へ試験光ＳＴを送り、ユーザ宅端末装置の手前に設置された反射フィルタからの戻り光がどの程度減衰しているかに基づいて、所外成端ケーブル４２からユーザ宅端末装置（不図示）までの線路における正常性の確認を行っている。波長選択光フィルタ２１３は、その試験光ＳＴの戻り光が伝送装置３１へ戻らない為の試験光ＳＴの波長を遮断するフィルタである。
【００２３】
図２に、通信波長帯の配列を示す。現在広く用いられている通信方式として、例えばＩＴＵ−Ｔ  Ｇ９８４．２に記載されるＧｂｐｓ級ＰＯＮの通信波長Ｂ１が、長波長側において、１４８０〜１５００ｎｍの波長を使用し、例えばＩＴＵ−Ｔ  Ｇ．９８９．２で規定されている４０Ｇｂｐｓ級ＰＯＮの通信波長Ｂ２が、長波長側において、１６０３〜１６２５ｎｍの波長を使用している。試験光ＳＴの波長Ｂ３は、例えばＩＴＵ−Ｔ  Ｌ．４１で記載されているようにＵバンド（１６２５−１６７５ｎｍ）で規定されており、そのうち例えば、ＩＴＵ−Ｔ  Ｌ．６６付録１で記載されているように、１６４５〜１６５５の波長を使用している場合が多い。そのため、前述の標準化で規定されている通信波長帯および試験光の波長帯を見ると、伝送装置３１へ透過させる通信光ＳＣと、遮断しなければいけない試験光ＳＴは近接した波長配置となる。
【００２４】
図２に示すように、Ｇｂｐｓ級ＰＯＮ用の通信光ＳＣの波長帯Ｂ１と遮断しなければいけない試験光Ｂ３は近接してなかった。このため、波長選択光フィルタの波長特性ＴＬ５５およびＴＬ６０はなだらかな立ち上がりで良かった。これに対し、図２に示すように、ＮＧ−ＰＯＮ２用の通信波長Ｂ２を使用する場合、透過させる通信光ＳＣの波長帯Ｂ２と遮断しなければならない試験光ＳＴの波長帯Ｂ３は近接している。したがって、波長選択フィルタ２１３の波長特性は急峻な立ち上がりが必要となる。したがって、４０Ｇｂｐｓ級ＰＯＮ用の通信波長Ｂ２を使用する場合、図３及び図４に示すような波長特性をみたすよう、波長選択光フィルタ２１３を適切な角度に配置する必要がある。
【００２５】
４０Ｇｂｐｓ級ＰＯＮの通信光ＳＣの波長帯は最も長波長帯で１６０３〜１６２５ｎｍであり、Ｇｂｐｓ級ＰＯＮで使用してされている通信波長帯よりも長波長側になるため、波長選択光フィルタ２１３を透過する際の透過損失がＧＥ−ＰＯＮの通信光ＳＣと比べて大きくなる。
【００２６】
一方で、波長選択光フィルタ２１３は設置角度の大小により、通信光ＳＣの透過損失と反射減衰量の値がトレードオフの関係にある。そのため、光ジャンパユニット９０の規定値となる反射減衰量と透過損失を満足するためには、波長選択光フィルタ２１３の設置角度を見極める必要がある。そこで、本実施形態に係る波長選択光フィルタは、波長選択光フィルタ２１３自体の特性だけでなく、その設置角度を設定する必要がある。
【００２７】
具体的には、本実施形態に係る波長選択光フィルタは、図１に示す波長選択光フィルタ２１３に、誘電体多層膜フィルタを用いる。誘電体多層膜フィルタは、透過損失のグラフにおいて、所定の波長帯域で急峻に立ち上がる特性があり、本モジュールの仕様を満たすのに最も安価なフィルタである。
【００２８】
図３に、誘電体多層膜フィルタを用いた場合の光ジャンパユニット９０の透過損失の一例を示す。４０Ｇｂｐｓ級ＰＯＮ用の使用波長である波長１６２５ｎｍまでの透過損失が１０ｄＢを下回っていたが、試験光ＳＴの波長である１６４５ｎｍでは透過損失が４４ｄＢまで高くなっている。このため、波長１６２５ｎｍ以下の通信波長を透過させ、波長１６４５ｎｍ以上の試験光ＳＴの波長を遮断することができる。
【００２９】
図３に示すＴＬ６０は設置角度αが６．０°の場合を示し、ＴＬ５５は設置角度αが５．５°の場合を示す。図５は、本実施形態に係る光ジャンパユニットにおける、波長選択光フィルタ２１３の設置形態を示したものである。波長選択光フィルタ２１３は、少なくとも２心以上の光ファイバテープ２１３１の途中に挿入される。波長選択光フィルタ２１３２の透過面Ｐ２の設置角度αは、光ファイバテープ２１３１の垂直断面Ｐ１に対する傾き角で定められる。
【００３０】
図４に、光ジャンパユニット９０の反射減衰量における波長選択フィルタ設置角度依存性の一例を示す。ＲＬ６０は設置角度αが６．０°の場合を示し、ＲＬ５５は設置角度αが５．５°の場合を示す。１５７０ｎｍ以上１６５０ｎｍ以下の波長範囲においては、透過損失が３０ｄＢを超えている。特に、４０Ｇｂｐｓ級ＰＯＮ用の使用波長である波長１６２５ｎｍでは、設置角度αが５．５°及び６．０°のいずれの場合も、反射減衰量が３５．０ｄＢ以上となっている。
【００３１】
以上説明したように、本実施形態に係る光ジャンパユニットは、波長選択光フィルタ２１３に誘電体多層膜フィルタを用い、さらに波長選択光フィルタの設置角度αを５．５°以上かつ６°以下に設定することで、将来使用される予定の４０Ｇｂｐｓ級ＰＯＮ用の通信波長１６０３〜１６２５ｎｍを使用した場合であっても、図３、図４に示すような波長特性を満たすような波長選択光フィルタ２１３を適切に配置することができる。
【００３２】
なお、本実施形態では、図１の分岐型光合分波器２１に示すように、光分岐部２１４を含む光ジャンパユニットについて記載したが、これに限定されることなく、図１の単心型光合波器２２のように、分岐なしでスルーする光ジャンパユニットについても適用できる。また、分岐型光合分波器２１は、光分岐部２１４に代えて光合波部（不図示）を備えていてもよい。光合波部（不図示）は、２以上の入力ポート２１１から入力された通信光を合波し、少なくとも１つの出力ポート２１２に出力する。分岐型光合分波器２１に備わる光分岐部及び光合波部の数は任意である。
【００３３】
また、図１の分岐型光合分波器２１に代えて、図６に示すように、複数の入力ポートからなる複数の入力系統２６１−１及び２６１−２を有し、複数の入力系統２６１−１及び２６１−２からの通信光を光合波部２１５にて光合波させ、複数の出力ポートからなる出力系統２６２に出力する分岐型光合分波器２６を備える光ジャンパユニットであってもよい。分岐型光合分波器２６を有する光ジャンパユニットの場合は、少なくとも１つの入力系統２６１−１と出力系統２６２において互いに対応する入出力ポート間において、入力系統２６１−１と光合波部２１５の間に波長選択フィルタ２１３が挿入されている構造であってもよい。また、本実施形態では、試験光ＳＴの波長帯として１６４５−１６５５ｎｍを例としたが、Ｕバンドの範囲内であればこれに限定されない。
【００３４】
本実施形態に係る光ジャンパユニットは、従来のモジュールと同等の構造を用いることができる。図７に、本実施形態に係る光ジャンパユニットの具体的構造の一例を示す。図６では、光ジャンパユニット９０に含まれる分岐型光合分波器２１と単心型光合分波器２２のうち分岐型光合分波器２１を示す。光ジャンパユニット９０は、入力ポート９１と、出力ポート９２と、波長選択光フィルタ２１３を備える。波長選択光フィルタ２１３は、本実施形態に係る波長選択光フィルタである。
【００３５】
光ジャンパユニット９０は、波長選択光フィルタ２１３の設置角度αを５．５°以上かつ６°以下に設定するため、光ファイバ１００を固定する機構を備えることが好ましい。例えば、光ジャンパユニット９０は、光ファイバ１００を８の字状に巻き付けるための固定部１２４及び１２９を備える。波長選択光フィルタ２１３は、固定部１２９に配置される。
【００３６】
固定部１２４に巻きつけられた光ファイバ１００は光結合部１２８で光ファイバテープに光結合される。光ファイバテープは、固定部１２５を通り、前記光ファイバテープ心線に対して１つの誘電体多層膜からなる波長選択フィルタ２１３に突き当てられ、再び光ファイバテープ心線に再結合され、前記再結合された光ファイバテープ心線を構成する各々の光ファイバを前記複数の出力ポート９２に光結合される。
【００３７】
光ジャンパユニット９０での波長選択光フィルタ２１３の設置方法は、例えば、図７に示す波長選択光フィルタ２１３において、光ファイバ１００が設置された基板上に、光ファイバテープ２１３１と所定の角度となる溝を固定部１２９として設け、その溝に波長選択光フィルタ部２１３２を設置する。
【００３８】
新規ユーザを開通する場合、各種サービスに対応した局内のそれぞれの伝送装置３１から配線された局内ケーブル４１の入力心線を、光ジャンパユニット９０の入力ポート９１へ接続する。本光ジャンパユニット９０の出力ポート９２からの光コードを光カプラ２４の入力ポート２４１へ接続し、最終的に光カプラ２４の出力ポート２４２と所外成端ケーブル４２を繋ぐことで、アクセス伝送装置間が接続され、各種サービスを提供することが可能となる。
【００３９】
以上説明したように、本実施形態に係る光ジャンパユニットは、従来から使用している波長に加えて、今後の通信として期待されている４０Ｇｂｐｓ級ＰＯＮ用の通信波長を透過すると共に、試験光ＳＴは遮断し、かつ十分な反射減衰量を両立することができる。また、代替手段としては、本実施形態に係る波長選択フィルタに、例えばＦＢＧ（Ｆｉｂｅｒ  Ｂｒａｇｇ  Ｇｒａｔｉｎｇ）技術を用いた波長遮断選択光フィルタと試験光ＳＴを吸収して反射を抑える機構を用いても前述の遮断機能および反射減衰機能は実現可能ではある。しかし、従来の光ジャンパユニットが有する組立容易性や高密度実装性を維持することはできない。このため、本実施形態により経済的な光ジャンパユニットの提供をすることができる。
【産業上の利用可能性】
【００４０】
本発明は情報通信産業に適用することができる。
【符号の説明】
【００４１】
９１、２１１、２２１、２４１：入力ポート
９２、２１２、２２２、２４２：出力ポート
２０：成端架
２１、２６：分岐型光合分波器
２２：単心型光合波器
２１３：波長選択光フィルタ
２１３１：光ファイバテープ
２１３２：波長選択光フィルタ部
２１４：光分岐部
２１５：光合波部
２４４：光カプラ
２５：試験装置
３１、３１−１、３１−２：伝送装置
４１：局内ケーブル
４２：所外成端ケーブル
９０：光ジャンパユニット
１００：光ファイバ
１２４、１２５、１２６、１２７、１２９：固定部
１２８：光結合部
【図１】
2016206210.tif 000003
【図２】
2016206210.tif 000004
【図３】
2016206210.tif 000005
【図４】
2016206210.tif 000006
【図５】
2016206210.tif 000007
【図６】
2016206210.tif 000008
【図７】
2016206210.tif 000009
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
複数の入力ポートを有し、少なくとも１つの伝送装置からの波長１６０３ｎｍ以上かつ１６２５ｎｍ以下の波長を有する通信光が前記入力ポートのいずれかに入力される入力系統と、
前記入力系統の各入力ポートに接続されている各光ファイバに接続されている入力側光ファイバテープと、
複数の出力ポートを有し、前記入力ポートに入力された前記通信光を、前記出力ポートのいずれかに出力する出力系統と、
前記出力系統の各出力ポートに接続されている各光ファイバに接続されている出力側光ファイバテープと、
前記入力側光ファイバテープ及び前記出力側光ファイバテープが同一面内に配置され、前記入力系統と前記出力系統において互いに対応するポート間に配置された波長選択光フィルタと、
を備え、
前記波長選択光フィルタは、前記通信光を透過させ、かつ波長１６４５ｎｍ以上かつ１６５５ｎｍ以下の光を含む試験光を遮断し、かつ前記試験光を３０ｄＢ以上の反射減衰量で反射する誘電体多層膜を備え、
前記入力側光ファイバテープ及び前記出力側光ファイバテープの垂直断面に対する前記誘電体多層膜の透過面の設置角度が５．５°以上かつ６．０°以下である、
ことを特徴とする光ジャンパユニット。
【請求項２】
前記誘電体多層膜は、
前記通信光の反射減衰量が３０ｄＢ以上である、
請求項１に記載の光ジャンパユニット。
【請求項３】
前記誘電体多層膜は、
前記通信光の透過損失が１０ｄＢ以下であり、
前記試験光の透過損失が４４ｄＢ以上である、
請求項１又は２に記載の光ジャンパユニット。
【手続補正２】
【補正対象書類名】明細書
【補正対象項目名】００１１
【補正方法】変更
【補正の内容】
【００１１】
具体的には、本発明に係る光ジャンパユニットは、
複数の入力ポートを有し、少なくとも１つの伝送装置からの波長１６０３ｎｍ以上かつ１６２５ｎｍ以下の波長を有する通信光が前記入力ポートのいずれかに入力される入力系統と、
前記入力系統の各入力ポートに接続されている各光ファイバに接続されている入力側光ファイバテープと、
複数の出力ポートを有し、前記入力ポートに入力された前記通信光を、前記出力ポートのいずれかに出力する出力系統と、
前記出力系統の各出力ポートに接続されている各光ファイバに接続されている出力側光ファイバテープと、
前記入力側光ファイバテープ及び前記出力側光ファイバテープが同一面内に配置され、前記入力系統と前記出力系統において互いに対応するポート間に配置された波長選択光フィルタと、
を備え、
前記波長選択光フィルタは、前記通信光を透過させ、かつ波長１６４５ｎｍ以上かつ１６５５ｎｍ以下の光を含む試験光を遮断し、かつ前記試験光を３０ｄＢ以上の反射減衰量で反射する誘電体多層膜を備え、
前記入力側光ファイバテープ及び前記出力側光ファイバテープの垂直断面に対する前記誘電体多層膜の透過面の設置角度が５．５°以上かつ６．０°以下であることを特徴とする。
【手続補正３】
【補正対象書類名】明細書
【補正対象項目名】００１２
【補正方法】変更
【補正の内容】
【００１２】
本発明に係る光ジャンパユニットでは、前記誘電体多層膜は、前記通信光の反射減衰量が３０ｄＢ以上であることが好ましい。
【手続補正４】
【補正対象書類名】明細書
【補正対象項目名】００１３
【補正方法】変更
【補正の内容】
【００１３】
本発明に係る光ジャンパユニットでは、前記誘電体多層膜は、前記通信光の透過損失が１０ｄＢ以下であり、前記試験光の透過損失が４４ｄＢ以上であることが好ましい。
【手続補正５】
【補正対象書類名】明細書
【補正対象項目名】００３０
【補正方法】変更
【補正の内容】
【００３０】
図４に、光ジャンパユニット９０の反射減衰量における波長選択フィルタ設置角度依存性の一例を示す。ＲＬ６０は設置角度αが６．０°の場合を示し、ＲＬ５５は設置角度αが５．５°の場合を示す。１５７０ｎｍ以上１６５０ｎｍ以下の波長範囲においては、反射減衰量が３０ｄＢを超えている。特に、４０Ｇｂｐｓ級ＰＯＮ用の使用波長である波長１６２５ｎｍでは、設置角度αが５．５°及び６．０°のいずれの場合も、反射減衰量が３５．０ｄＢ以上となっている。